(57)【要約】【課題】切断機構を備えた切断装置により、被切断物から模様を切断するための切断データを作成するものにあって、１枚の被切断物のサイズを超える大形の模様を切断することが可能な切断データを作成する。【解決手段】切断データ作成装置は、切断機構を備えた切断装置により、被切断物から模様を切断するための切断データを作成するものであって、切断の対象となる一の元模様を複数の分割模様に分割する分割手段と、前記分割模様に対し、隣り合う他の分割模様と部分的に重ね合わされる接合しろとなるマージンを付加するマージン付加手段と、前記マージンが付加された分割模様を切断するための切断データを生成する切断データ生成手段とを備えている。【選択図】図１
2017030126.tif 000002
【特許請求の範囲】
【請求項１】
切断機構を備えた切断装置により、被切断物から模様を切断するための切断データを作成する切断データ作成装置であって、
切断の対象となる一の元模様を複数の分割模様に分割する分割手段と、
前記分割模様に対し、隣り合う他の分割模様と部分的に重ね合わされる接合しろとなるマージンを付加するマージン付加手段と、
前記マージンが付加された分割模様を切断するための切断データを生成する切断データ生成手段と
を備えることを特徴とする切断データ作成装置。
【請求項２】
前記隣り合う他の分割模様における前記マージンと重ね合わされる隣接部分の形状を取得する形状取得手段を備え、
前記マージン付加手段は、前記形状取得手段の取得した隣接部分形状の内側に収まる形状のマージンを付加することを特徴とする請求項１記載の切断データ作成装置。
【請求項３】
前記隣り合う他の分割模様における前記マージンと重ね合わされる隣接部分の形状を取得する形状取得手段を備え、
前記マージン付加手段は、前記形状取得手段の取得した隣接部分形状に一致する形状のマージンを付加することを特徴とする請求項１又は２記載の切断データ作成装置。
【請求項４】
所定形状の前記マージンを作成するマージン作成手段と、
前記マージン作成手段により作成されたマージンが、前記形状取得手段の取得した隣接部分形状に収まるか否かを判断する判断手段と、
前記判断手段により前記マージンが前記隣接部分形状に収まらないと判断された場合に、前記マージンを当該隣接部分形状に収まる形状に補正する補正手段と
を備え、
前記マージン付加手段は、
前記判断手段により前記マージンが前記隣接部分形状に収まらないと判断された場合には、前記補正手段により補正されたマージンを付加し、
前記判断手段により前記マージンが前記隣接部分形状に収まると判断された場合には、前記マージン作成手段により作成されたマージンを付加することを特徴とする請求項２又は３記載の切断データ作成装置。
【請求項５】
前記切断データ生成手段は、前記マージンが付加された分割模様について、前記被切断物に対し、前記分割模様とマージンとの間の境界線を示す指標を設けるための境界線データを生成することを特徴とする請求項１から４のいずれか一項に記載の切断データ作成装置。
【請求項６】
前記マージン付加手段は、前記分割模様に付加されるマージンが、複数の分割模様を元模様のように組合せた場合に、互いに重なることのないようにマージンを付加することを特徴とする請求項１から５のいずれか一項に記載の切断データ作成装置。
【請求項７】
前記マージン付加手段により分割模様に付加されたマージンが、複数の分割模様を元模様のように組合せた場合に、互いに重なるか否かを判定する重なり判定手段と、
前記重なり判定手段により前記マージン同士が重なると判定された場合に、それらマージンの一方について重なり部分を削除する修正手段と
を備えることを特徴とする請求項１から５のいずれか一項に記載の切断データ作成装置。
【請求項８】
前記マージンの、前記分割模様の分割辺からの突出方向の幅寸法を、前記元模様の大きさに基づいて決定するマージンサイズ決定手段を備えることを特徴とする請求項１から７のいずれか一項に記載の切断データ作成装置。
【請求項９】
前記分割手段は、
前記元模様を前記複数の分割模様に分割する分割線の候補となる分割候補線を設定する分割候補線設定手段と、
前記分割候補線が前記元模様を横切る貫通長さを算出する算出手段と、
前記分割候補線設定手段により設定される複数の分割候補線のうち前記算出手段により算出される貫通長さがより大きくなる分割候補線を探索して当該分割候補線を分割線として決定する分割線決定手段と
を備え、
前記分割線決定手段により決定された分割線により前記複数の分割模様に分割することを特徴とする請求項１から８のいずれか一項に記載の切断データ作成装置。
【請求項１０】
請求項１から９のいずれか一項に記載の切断データ作成装置の各種処理手段として、コンピュータを機能させるための切断データ作成プログラム。
【発明の詳細な説明】
【技術分野】
【０００１】
本発明は、切断機構を備えた切断装置により、被切断物から所定形状の模様を切断するための切断データを作成する切断データ作成装置及び切断データ作成プログラムに関する。
【背景技術】
【０００２】
従来、切断データに基づいて、紙、布等のシート状の被切断物を、切断機構により所定形状に切断する切断装置が知られている（例えば、特許文献１参照）。このものでは、被切断物を、専用の四角形のマットに保持させた状態で、切断の作業を行うように構成されている。この場合、マットの上面には左右の縁部を除いて粘着層が設けられており、その粘着層に被切断物が貼り付けられて保持されるものとなっていた。
【先行技術文献】
【特許文献】
【０００３】
【特許文献１】特開２０１３−１３９７７号公報
【発明の概要】
【発明が解決しようとする課題】
【０００４】
上記した切断装置では、切断データに基づいて切断できる模様のサイズは、専用のマットにより保持可能な被切断物のサイズを超えることはできない。そのため、従来では、マットで保持可能な被切断物のサイズを超える大形の模様については、切断データを作成することができなかった。そこで、大形の模様であっても、切断することを可能とすることが要望されるのである。
【０００５】
本発明は上記事情に鑑みてなされたものであり、その目的は、被切断物から所定形状の模様を切断するための切断データであって、１枚の被切断物のサイズを超える大形の模様を切断することが可能な切断データを作成することができる切断データ作成装置及び切断データ作成プログラムを提供するにある。
【課題を解決するための手段】
【０００６】
上記の目的を達成するために、本発明の請求項１に係る切断データ作成装置は、切断機構を備えた切断装置により、被切断物から模様を切断するための切断データを作成するものであって、切断の対象となる一の元模様を複数の分割模様に分割する分割手段と、前記分割模様に対し、隣り合う他の分割模様と部分的に重ね合わされる接合しろとなるマージンを付加するマージン付加手段と、前記マージンが付加された分割模様を切断するための切断データを生成する切断データ生成手段とを備えるところに特徴を有する。
【０００７】
本発明の請求項１０に係る切断データ作成プログラムは、上記切断データ作成装置の各種処理手段として、コンピュータを機能させるところに特徴を有する。
【発明の効果】
【０００８】
本発明の請求項１に係る切断データ作成装置によれば、分割手段により、元模様が、複数の分割模様に分割されるので、もし、元模様のサイズが被切断物のサイズよりも大きい場合であっても、各分割模様を、被切断物のサイズよりも小さいものとすることができる。従って、切断データ生成手段により生成された、各分割模様を切断するための切断データを用いて切断を行えば、複数の被切断物から、各分割模様を切断することができる。そして、それら分割模様を組合せて接合することにより、元模様に対応した一つの大きな模様の切断物とすることができる。
【０００９】
このとき、被切断物から切断した複数の分割模様の切断片を接合する場合、被切断物が紙やシート等の場合には貼り合わせしろ（糊しろ）、布などの場合には、縫いしろを設けることにより、接合作業を容易に行うことが可能となる。本発明では、隣り合う他の分割模様と部分的に重ね合わされる接合しろとなるマージンを付加するマージン付加手段を設けたので、切断データ生成手段は、分割模様に対し、マージン付加手段により付加されたマージンを含む切断データを生成することができ、より効果的となる。この結果、請求項１の発明によれば、被切断物から所定形状の模様を切断するための切断データであって、１枚の被切断物のサイズを超える大形の模様を切断することが可能な切断データを作成することができるという優れた効果を奏する。
【００１０】
また、本発明の請求項１０に係る切断データ作成プログラムによれば、当該プログラムをコンピュータに実行させることで、請求項１に記載の発明の効果と同様の優れた効果を奏する。
【図面の簡単な説明】
【００１１】
【図１】本発明の第１の実施形態を示すもので、切断データ作成装置としての切断装置の外観を概略的に示す斜視図
【図２】切断装置の電気的構成を概略的に示すブロック図
【図３】元模様（ａ）及びそれを分割した様子（ｂ）を示す図
【図４】分割模様にマージンを付加した様子を示す図
【図５】制御装置が実行するサイズ判断の処理手順を示すフローチャート
【図６】制御装置が実行する模様の分割の処理手順を示すフローチャート
【図７】分割線の設定の手法を説明するための図
【図８】制御装置が実行するマージン付加の処理手順を示すフローチャート
【図９】マージン付加の手法を説明するための図
【図１０】制御装置が実行するマージン付加のための各分割模様に対する番号付けの処理手順を示すフローチャート
【図１１】各分割模様に対する番号付けの手法を説明するための図
【図１２】マージンを付加する分割模様の設定の処理手順を示すフローチャート
【図１３】制御装置が実行するマージン幅設定の処理手順を示すフローチャート
【図１４】第２の実施形態を示すもので、マージンの重なり判定の処理手順を示すフローチャート
【図１５】マージンの重なり状態を説明するための図
【図１６】第３の実施形態を示すもので、分割模様に対して縫いしろとしてのマージンを設けた様子を示す図
【図１７】第４の実施形態を示すもので、切断データ作成装置及び切断装置の外観を示す図
【図１８】切断データ作成装置及び切断装置の電気的構成を概略的に示すブロック図
【発明を実施するための形態】
【００１２】
（１）第１の実施形態
以下、本発明を具体化した第１の実施形態について、図１から図１３を参照しながら説明する。尚、この第１の実施形態では、切断装置が、切断データ作成装置を兼用している。図１は、本実施形態に係る切断データ作成装置としての切断装置１１の外観構成を示している。また、図２は、切断装置１１の電気構成を概略的に示している。切断装置１１は、紙やシート等の被切断物Ｗを、切断データに従って切断する装置である。
【００１３】
図１に示すように、切断装置１１は、本体カバー１２と、本体カバー１２内に配設されたプラテン１３と、カッタカートリッジ１４を有する切断ヘッド１５とを備えている。切断装置１１は、被切断物としての被切断物Ｗを保持するための保持部材１６を備える。保持部材１６は、全体として矩形薄板状をなすベース部と、ベース部の上面に設けられた粘着層とを備えている。粘着層は、ベース部の４辺の周縁部を除いて矩形状に設けられており、被切断物Ｗを剥離可能に保持する。
【００１４】
ここで、本実施形態における方向について定義する。後述の移送機構による保持部材１６の移送方向を、前後方向（Ｙ方向）とする。後述のカッタ移動機構による切断ヘッド１５の移動方向を、左右方向（Ｘ方向）とする。前後方向と左右方向とに直交する方向を、上下方向（Ｚ方向）とする。切断装置１１は、図１に示すように、保持部材１６の粘着部の左側後方の角部を原点ＯとしたＸ−Ｙ座標系が設定され、Ｘ−Ｙ座標系で示される切断データに基づいて切断動作が制御される。保持部材１６の粘着層は、Ｘ方向及びＹ方向に延びる辺を有し、保持可能な被切断物Ｗのサイズは、左右方向の寸法がＸ１、前後方向の寸法がＹ１とされている。
【００１５】
本体カバー１２は、横長な矩形箱状をなしており、前面部には横長に開口する前面開口部１２ａが形成されている。保持部材１６は、切断装置１１内に前面開口部１２ａから挿入され、プラテン１３の上面にセットされる。プラテン１３にセットされた保持部材１６は前後方向（Ｙ方向）に移送される。
【００１６】
本体カバー１２の上面の右側部位には、操作パネル１８が設けられている。操作パネル１８は、液晶ディスプレイ１９と、ユーザが各種の指示や選択又は入力の操作を行うための各種操作スイッチ２０とが設けられている。なお、各種操作スイッチ２０には、ディスプレイ１９の表面に設けられるタッチパネルも含まれるものとする。本体カバー１２内には、保持部材１６をプラテン１３の上面で前後方向（Ｙ方向）に移送する移送機構が設けられる。更に、切断ヘッド１５を、左右方向（Ｘ方向）に移動させるカッタ移動機構が設けられる。
【００１７】
移送機構を説明する。本体カバー１２内には、左右方向に夫々延びるピンチローラ２１及び駆動ローラ２２が上下に並ぶように設けられている。保持部材１６は、その左右の縁部が、ピンチローラ２１と、駆動ローラ２２との間において夫々挟持されて前後方向に移送される。詳しく図示はしないが、本体カバー１２内の右側部には、Ｙ軸モータ２３（図２にのみ図示）、及びＹ軸モータ２３の回転を駆動ローラ２２に伝達するギヤ機構が設けられている。これにて、移送機構は、Ｙ軸モータ２３により駆動ローラ２２が回転して、保持部材１６を前後方向に移送させる。
【００１８】
次に、カッタ移動機構を説明する。本体カバー１２内には、ピンチローラ２１の後部上方に位置して、左右方向に延びるガイドレール２４が配設されている。切断ヘッド１５は、ガイドレール２４に、左右方向ヘの移動が可能に支持される。詳しく図示はしないが、本体カバー１２内の左側部には、Ｘ軸モータ２５（図２にのみ図示）、及びＸ軸モータ２５により回転される駆動プーリが設けられている。
【００１９】
一方、図示はしないが、本体カバー１２内の右側部には、従動プーリが設けられている。駆動プーリと従動プーリとの間には、無端状のタイミングベルトが左右方向に延びて水平に掛け渡されている。タイミングベルトの途中部が、切断ヘッド１５に連結されている。これにて、カッタ移動機構は、Ｘ軸モータ２５の回転により、タイミングベルトを介して切断ヘッド１５を左右方向に移動させる。
【００２０】
切断ヘッド１５は、カートリッジホルダ２６と、カートリッジホルダ２６を上下方向に駆動させる上下駆動機構を備える。カートリッジホルダ２６は、カッタカートリッジ１４を着脱可能に保持する。図示はしないが、カッタカートリッジ１４は、カッタを備える。カッタの下端には、刃部が形成される。カッタカートリッジ１４は、ケースの下端部から刃部が僅かに突出する位置にてカッタを保持する。
【００２１】
上下駆動機構は、Ｚ軸モータ２７（図２にのみ図示）等を備え、カッタカートリッジ１４を、カッタの刃部により被切断物の切断を行う下降位置と、カッタの刃部が被切断物から上方に所定距離だけ離間する上昇位置との間で移動させるように構成されている。カッタカートリッジ１４は、通常時即ち切断動作を行なわないときには、上昇位置に位置されており、切断動作時には、上下駆動機構により下降位置に移動される。
【００２２】
以上により切断機構が構成され、切断動作時には、カッタの刃部が、保持部材１６に保持されている被切断物としての被切断物Ｗを厚み方向に貫通する状態になる。その状態で、移送機構により、保持部材１６に保持された被切断物Ｗを前後方向に移動させると共に、カッタ移動機構により、切断ヘッド１５つまりカッタを左右方向に移動させることにより、被切断物Ｗに対する切断動作が行われる。尚、本実施形態の切断装置１１は、図２にのみ示すように、保持部材１６に保持された原画等の表面の模様を読取るスキャナ部２８が設けられている。
【００２３】
図２に示すように、切断装置１１は、制御手段として制御回路２９を備えている。制御回路２９は、コンピュータ（ＣＰＵ）を主体として構成され、切断装置１１の全体の制御を司る。制御回路２９には、前記ＬＣＤ１９、各種操作スイッチ２０が接続されていると共に、ＲＯＭ３０、ＲＡＭ３１、ＥＥＰＰＯＭ３２が接続されている。また、制御回路２９には、Ｘ軸モータ２５、Ｙ軸モータ２３、Ｚ軸モータ２７を夫々駆動するための駆動回路３３、３４、３５が接続されている。更に、制御回路２９には、例えばＵＳＢメモリ等の外部メモリ３６が接続可能とされている。
【００２４】
ＲＯＭ３０には、切断動作を制御するための切断制御プログラムや、切断データを作成及び編集する切断データ作成プログラム、ＬＣＤ１９の表示を制御する表示制御プログラム等の各種制御プログラムが記憶されている。ＲＡＭ３１には、各種処理に必要なデータやプログラムが一時的に記憶される。ＥＥＰＲＯＭ３２或いは外部メモリ３６には、多数の模様に関しての形状を示す模様データや、当該所定形状の模様を切断するために作成された切断データが保存されている。
【００２５】
また、ＥＥＰＲＯＭ３２には、保持部材１６で保持可能な、つまり１回の切断動作で切断可能な被切断物Ｗのサイズのデータ、この場合、左右の寸法がＸ１、前後の寸法がＹ１のデータが記憶されている。尚、被切断物Ｗのサイズは、予め記憶されていても良いが、保持部材１６に保持された実際の被切断物Ｗのサイズを特定し、その被切断物Ｗのサイズに基づいて後述するサイズ判断の処理を行うようにしても良い。このとき、実際の被切断物Ｗのサイズを特定する手法としては、例えば、ユーザによる手動入力や、スキャナ部２８による保持部材１６上の被切断物Ｗのサイズの計測等を採用することができる。
【００２６】
切断データは、被切断物Ｗを切断するための切断位置を示すデータであり、切断位置をＸＹ座標系で示す座標値のデータの集合から構成される。制御回路２９は、切断制御プログラムの実行により、切断データに従って、駆動回路３３、３４、３５を介してＸ軸モータ２５、Ｙ軸モータ２３、Ｚ軸モータ２７を夫々制御し、保持部材１６に保持された被切断物Ｗに対する切断動作を自動で実行させる。
【００２７】
さて、本実施形態では、制御回路２９は、切断データ作成プログラムの実行により、切断データを作成する切断データ作成装置としての各処理を実行する。尚、切断データ作成プログラムは、ＲＯＭ３０に予め記憶されているものに限らず、例えば光ディスク等の外部の記録媒体に記録されており、当該記録媒体から読み込まれる構成としても良い。更には、ネットワークを介して外部からダウンロードされるものであっても良い。
【００２８】
この切断データの作成は、通常は、例えば、ＥＥＰＲＯＭ３２に記憶されている或いはスキャナ部２８により読取られた複数の模様の中からユーザが選択した切断の対象となる模様の模様データに基づき、閉じた図形からなる模様を表現する輪郭線を求め、その輪郭線のデータから、輪郭線に沿って切断するための切断データを作成することにより行われる。
【００２９】
このとき、本実施形態では、制御回路２９は、切断データを作成するにあたり、対象となる模様（元模様Ｆという）の模様データから、当該元模様Ｆのサイズ、即ち、横及び縦の大きさＸ２及びＹ２を特定するサイズ特定の処理を実行する。元模様Ｆのサイズのデータは、切断データ作成時に模様データに基づいて計算しても良いし、模様データと共にＥＥＰＲＯＭ３２等に予め記憶されていても良い。次いで、制御回路２９は、特定した元模様Ｆのサイズが、被切断物Ｗのサイズ（横及び縦がＸ１及びＹ１）よりも大きいか否かを判断するサイズ判断の処理を実行する。元模様Ｆのサイズが、被切断物Ｗのサイズよりも小さい場合には、制御回路２９は、通常の切断データ作成の処理を実行する。ここでいう通常の切断データ作成の処理とは、後述する分割処理を行うことなく、元模様Ｆの模様データに基づき、１枚の被切断物Ｗから元模様Ｆを切断するための切断データを作成する処理である。
【００３０】
詳しくは後述するように、元模様Ｆのサイズが被切断物Ｗのサイズよりも大きいと判断した場合には、制御回路２９は、元模様Ｆを分割線Ｐにより被切断物Ｗのサイズよりも小さい複数の分割模様Ｄに分割する分割処理を実行する。この後、制御回路２９は、各分割模様Ｄを夫々切断するための切断データを生成する切断データ作成の処理を実行する。従って、制御回路２９が、分割手段、切断データ生成手段として機能する。
【００３１】
ここで、図３は、模様の具体例として、「星」の元模様Ｆを示している。図３（ａ）に示すように、この元模様Ｆの縦横のサイズは、被切断物Ｗの縦横のサイズの夫々２倍のサイズ内、つまり４枚の被切断物Ｗ内に収まるものとなっている。この場合、図３（ｂ）に示すように、元模様Ｆは、上下方向のほぼ中央部を横方向に延びる分割線Ｐと、左右方向のほぼ中央部を縦方向に延びる分割線Ｐとにより、４分割された分割模様Ｄ１〜Ｄ４に分割される。
【００３２】
より具体的には、本実施形態では、分割処理において、元模様Ｆを分割線Ｐにより分割するにあたり、分割線Ｐの候補となる分割候補線Ｐ１，Ｐ２を設定する分割候補線設定処理を実行し、分割候補線Ｐ１，Ｐ２が元模様Ｆを横切る貫通長さを算出する算出処理を実行する。そして、設定された複数の分割候補線Ｐ１，Ｐ２のうち元模様Ｆを横切る貫通長さがより大きくなる分割候補線Ｐ１，Ｐ２を探索してその分割候補線Ｐ１，Ｐ２を分割線Ｐとして決定する分割線決定処理を実行する。本実施形態では、貫通長さの総和が最も大きくなる分割候補線Ｐ１，Ｐ２を探索して当該分割候補線を分割線Ｐとして決定する。従って、制御回路２９は、分割候補線設定手段、算出手段、分割線決定手段としても機能する。
【００３３】
またこのとき、制御回路２９は、分割処理においては、元模様Ｆのサイズと被切断物Ｗのサイズとを比較し、元模様Ｆを切断するための必要な被切断物Ｗの数を求める被切断物数算出処理を実行する。そして、制御回路２９は、分割候補線設定の処理において、求められた必要被切断物数に応じた数の分割候補線Ｐ１，Ｐ２を設定する。また、制御回路２９は、分割候補線設定の処理において、一方向例えばＸ方向に延びる第１分割候補線Ｐ１と、その第１分割候補線Ｐ１と交差する方向例えばＹ方向に延びる第２分割候補線Ｐ２とを設定する。
【００３４】
制御回路２９は、分割線決定処理において、元模様Ｆに対して分割候補線Ｐ１，Ｐ２を相対的にＸ及びＹ方向に平行移動させながら、先に設定された分割候補線の貫通長さと比較して貫通長さの総和がより大きくなる分割候補線Ｐ１，Ｐ２を探索する。これと共に、制御回路２９は、分割線決定処理において、例えば元模様ＦのＸ方向、Ｙ方向の中心を回転中心として、元模様Ｆに対し分割候補線Ｐ１，Ｐ２を相対的に回転移動させながら、先に設定された分割候補線の貫通長さと比較して貫通長さの総和がより大きくなる分割候補線Ｐ１，Ｐ２を探索する。
【００３５】
そして、本実施形態では、制御回路２９は、元模様Ｆの分割処理を行った後に、各分割模様Ｄに対し、隣り合う他の分割模様Ｄと部分的に重ね合わされる接合しろとなるマージンＭを付加するマージン付加処理を実行するマージン付加手段として機能する。制御回路２９は、各分割模様Ｄの切断データ生成処理を行うに際し、マージン付加処理において付加されたマージンＭを含む切断データを生成する。
【００３６】
より具体的には、制御回路２９は、分割模様Ｄにマージン付加処理を実行するにあたり、隣り合う他の分割模様Ｄにおける、マージンＭと重ね合わされる隣接部分の形状を取得する形状取得処理を行う形状取得手段として機能する。そして、制御回路２９は、形状取得処理において取得した隣接部分形状の内側に収まる、或いは一致する形状のマージンＭを付加する。その際に、制御回路２９は、マージンＭの、分割模様Ｄの分割辺からの突出方向の幅寸法Ｌを、元模様Ｆの大きさに基づいて決定する処理を行い、マージンサイズ決定手段としても機能する。
【００３７】
また、制御回路２９は、分割模様Ｄに対しマージンＭを付加する際に、当初において所定形状のマージンＭを作成し、そのマージンＭが隣接部分形状の内側に収まるか否かを判断する。本実施形態では、「隣接部分形状の内側に収まる」のなかには、隣接部分形状に一致する場合も含まれる。マージンＭが隣接部分形状に収まらないと判断された場合に、マージンＭを当該隣接部分形状に収まる形状に補正する処理を行う。従って、制御回路２９が、マージン作成手段、判断手段、補正手段として機能する。制御回路２９は、マージンＭが隣接部分形状に収まらないと判断された場合には、補正されたマージンＭを付加し、マージンＭが隣接部分形状に収まると判断された場合には、最初に作成されたマージンＭを付加する。
【００３８】
更に、本実施形態では、制御回路２９は、切断データ生成処理において、マージンＭが付加された分割模様Ｄについて、被切断物Ｗに対し、分割模様ＤとマージンＭとの境界線Ｂを示す指標を設けるための境界線データを併せて生成する。指標としては、境界線Ｂに対する点線での切断、つまり間欠的な切り込みを入れたり、ペンによって境界線Ｂの描画を行ったりすることが考えられ、境界線データに基づいて、被切断物Ｗに対しそのような指標を設けることが可能となる。
【００３９】
図４は、上記星形の元模様Ｆを４つの分割模様Ｄ１〜Ｄ４に分割し、それら分割模様Ｄ１〜Ｄ４にマージンＭを付加した様子、つまり、４枚の被切断物ＷからマージンＭ付きの分割模様Ｄ１〜Ｄ４を夫々切断する様子を示している。後述するように、分割模様Ｄ１に関しては、右辺部つまり分割模様Ｄ２との隣接部分、及び、下辺部つまり分割模様Ｄ３との隣接部分に、夫々マージンＭが付加される。分割模様Ｄ２に関しては、下辺部つまり分割模様Ｄ４との隣接部分にマージンＭが付加される。分割模様Ｄ３に関しては、右辺部つまり分割模様Ｄ４との隣接部分にマージンＭが付加される。分割模様Ｄ４については、マージンＭは付加されない。
【００４０】
次に、上記構成の作用について、図５から図１２も参照して述べる。まず、図５のフローチャートは、ユーザの操作スイッチ２０の操作によって元模様Ｆが選択され、切断データの作成処理が指示された場合に、制御回路２９が実行するサイズ判断の処理手順を示している。ステップＳ１では、被切断物Ｗの１枚のサイズ、この場合、横、縦の寸法が夫々Ｘ１、Ｙ１であるというデータが取得される。ステップＳ２では、選択された元模様Ｆのサイズ、この場合、横、縦の寸法が夫々Ｘ２、Ｙ２であるというデータが取得される。
【００４１】
次のステップＳ３では、元模様Ｆの横方向のサイズＸ２が、被切断物Ｗの横方向のサイズＸ１よりも大きいか否か、又は、元模様Ｆの縦方向のサイズＹ２が、被切断物Ｗの縦方向のサイズＹ１よりも大きいか否かが判断される。元模様Ｆの横方向或いは縦方向のいずれか一方でも、被切断物Ｗのサイズよりも大きい場合には（ステップＳ３にてＹｅｓ）、ステップＳ４にて、元模様Ｆの分割処理が実行される。元模様Ｆのサイズが、横縦共に、被切断物Ｗのサイズに収まる場合には（ステップＳ３にてＮｏ）、この処理を終了し、図示はしないが、通常の切断データ作成の処理が実行される。
【００４２】
図６のフローチャートは、制御回路２９が実行する模様の分割の処理、つまり図５のステップＳ４の処理の詳細な手順を示している。この分割処理の詳細について、図７等も参照して述べる。即ち、ステップＳ１２では、模様（元模様Ｆ）の現在の角度ａを０°に設定する。ステップＳ１３では、現在の角度ａにおける元模様Ｆのサイズ、横、縦の各寸法Ｘ２、Ｙ２が求められる。
【００４３】
ステップＳ１４では、横及び縦の分割数ｂｘ及びｂｙが、ｂｘ＝Ｘ２／Ｘ１、ｂｙ＝Ｙ２／Ｙ１の式で求められる。但し、計算結果においては、少数点以下が切り上げられる。これら分割数ｂｘ、ｂｙは、必要な被切断物Ｗの数を表すものであり、図７（ａ）に例示した「星」の元模様Ｆの場合には、横方向に２枚、縦方向に２枚の、合計４枚が必要な被切断物Ｗの数となる。ステップＳ１５では、それら分割数ｂｘ、ｂｙに基づき、元模様Ｆを配置するための全体エリアＡが算出される。図７に示すように、この例では、被切断物Ｗを縦横２枚ずつ並べたエリアが全体エリアＡとされる。
【００４４】
そしてこのとき、全体エリアＡ内において１枚ずつの被切断物Ｗの領域を区画する線が、求められた必要被切断物数に応じた分割候補線Ｐ１、Ｐ２となる。この場合、Ｘ方向に延びる分割候補線が第１分割候補線Ｐ１となり、その第１分割候補線Ｐ１と直交するＹ方向に延びる分割候補線が、第２分割候補線Ｐ２となる。図７（ａ）では、元模様Ｆの中心点が、第１分割候補線Ｐ１と第２分割候補線Ｐ２との交点、即ち全体エリアＡの中心点に配置されている。ステップＳ１６では、全体エリアＡ内において、元模様Ｆがはみ出すことなくＸ方向及びＹ方向に相対的に平行移動できる範囲が、平行移動範囲Ｔとして求められる。図７（ａ）の例では、元模様Ｆの中心点が移動可能な四角形の範囲が、平行移動範囲Ｔとされる。元模様Ｆの中心点が、平行移動範囲Ｔの探索座標（ｘ，ｙ）に来るようにして探索が行われる。尚、この場合の平行移動は、横縦共に所定のピッチ（例えば１ｍｍ〜数ｍｍ単位）で行われる。また、上記平行移動範囲Ｔを設定する際には、後述するマージンを付加することを考慮して、マージンの幅寸法分だけ平行移動範囲Ｔを小さく設定するようにしても良い。
【００４５】
ステップＳ１７以降において、全体エリアＡ内で元模様Ｆを移動（分割候補線Ｐ１、Ｐ２を相対的に平行移動）させながら、分割候補線Ｐ１、Ｐ２が元模様Ｆを貫通する貫通長さがより大きくなる分割候補線Ｐ１、Ｐ２の相対位置の探索が行われる。ステップＳ１７では、元模様Ｆの位置を平行移動範囲Ｔ内で移動させる際の、未探索の位置があるか否かが判断される。未探索の平行移動範囲Ｔがある場合には（ステップＳ１７にてＹｅｓ）、ステップＳ１８にて、平行移動範囲Ｔにおける未探索の一つの位置が、探索座標（ｘ，ｙ）に設定される。ステップＳ１９では、分割候補線Ｐ１、Ｐ２と元模様Ｆとが重なる箇所の貫通長さの総和Ｅが求められる。
【００４６】
図７（ｂ）の例では、分割候補線Ｐ１、Ｐ２と元模様Ｆとが重なる箇所の貫通長さ（図で太線の長さ）の総和Ｅが求められる。また、図７（ｃ）の例は、元模様Ｆを図７（ｂ）の状態から左上に移動させたもので、やはり、分割候補線Ｐ１、Ｐ２と元模様Ｆとが重なる箇所の貫通長さ（図で太線の長さ）の総和Ｅが求められる。ステップＳ２０では、貫通長さの総和Ｅと探索座標（ｘ，ｙ）、角度ａとが関連付けられた情報が、探索結果リストに保存される。この後、ステップＳ１７に戻って、平行移動範囲Ｔ内で未探索の探索座標（ｘ，ｙ）があれば、ステップＳ２０までの処理が繰返される。
【００４７】
このようにして、平行移動範囲Ｔ内の全ての探索座標（ｘ，ｙ）に関して、分割候補線Ｐ１、Ｐ２と元模様Ｆとが重なる箇所の貫通長さの探索が完了すると（ステップＳ１７にてＮｏ）、ステップＳ２１にて、今度は、元模様Ｆの角度ａを、所定角度例えば１°だけ一方向に回転移動させることが行われる。ステップＳ２２では、角度ａが３６０°になったか否かが判断される。未だ３６０°に至っていない場合には（ステップＳ２２にてＮｏ）、ステップＳ１３からの処理が繰返される。これにて、元模様Ｆが所定角度ずつ回転されながら、分割数ｂｘ，ｂｙの計算、全体エリアＡの設定、全体エリアＡ中を平行移動しながらの貫通長さの総和Ｅの探索の処理がなされる。
【００４８】
これにて、元模様Ｆが１回転されるまでの探索が終了すると、ステップＳ２２にて、角度ａが３６０°になったと判断されるので（ステップＳ２２にてＹｅｓ）、次のステップＳ２３に進む。ステップＳ２３では、探索結果リストから、貫通長さの総和Ｅが最も大きいものの探索座標（ｘ，ｙ）及び角度ａで、元模様Ｆが平行移動及び回転移動される。そして、ステップＳ２４にて、そのときの分割候補線Ｐ１、Ｐ２を分割線Ｐとして、元模様Ｆが分割される。図３の例では、図３（ｂ）に示す分割線Ｐで、元模様Ｆが、被切断物Ｗのサイズよりも小さい複数、この場合４個の分割模様Ｄ１〜Ｄ４に分割されるのである。
【００４９】
以上のような、元模様Ｆを複数の分割模様Ｄ１〜Ｄ４に分割する処理が行われると、制御回路２９により、各分割模様Ｄ１〜Ｄ４を切断するための切断データが夫々生成される。このとき、個々の分割模様Ｄ１〜Ｄ４は、夫々１枚の被切断物Ｗからの切断が可能なサイズなので、各分割模様Ｄ１〜Ｄ４を切断するための切断データを用いて切断を行えば、複数この場合４枚の被切断物Ｗから、各分割模様Ｄ１〜Ｄ４を切断した４枚の切断物を得ることができる。そして、それら４枚の分割模様Ｄ１〜Ｄ４の切断物を組合せて接合することにより、元模様Ｆに対応した一つの大きな模様の切断物を得ることができる。
【００５０】
さて、上記のように、各分割模様Ｄ１〜Ｄ４に対応した切断物を接合する場合、被切断物Ｗが例えば紙の場合には、各切断物に貼り合わせのための接合しろ（糊しろ）を設けることが望ましい。切断物に接合しろを設けることにより、接合作業を容易に行うことが可能となり、利便性が高まる。そこで、本実施形態では、制御回路２９は、元模様Ｆの分割処理後に、各分割模様Ｄ１〜Ｄ４に対して接合しろとなるマージンＭを付加するマージン付加の処理を実行する。以下、制御回路２９が実行するマージンＭの付加に関連する処理について、図８〜図１３を参照して述べる。
【００５１】
図８のフローチャートは、制御回路２９が実行するマージンＭの付加の処理手順を示している。また、図１０のフローチャートは、制御回路２９が実行する、マージンＭを付加する分割模様Ｄを決定するための、各分割模様Ｄに対する番号付けの処理の手順を示しており、図１２のフローチャートは、マージンＭを付加する分割模様の設定の処理手順を示している。更に、図１３のフローチャートは、制御回路２９が実行するマージンＭの幅寸法Ｌの設定処理の手順を示している。まず、図８及び図９を参照しながら、マージンＭの付加の処理について述べる。
【００５２】
図８において、まずステップＳ３１では、元模様Ｆの分割辺Ｉが取得される。この場合、図９（ａ）に示すように、分割模様Ｊ（Ｄ１）と分割模様Ｋ（Ｄ２）との間の分割線が、分割辺Ｉとされる。ステップＳ３２では、分割辺Ｉを共有して隣り合う分割模様Ｊ、Ｋのうち、マージンＭを付加する片方の分割模様Ｊの形状が取得される。このとき、隣り合う分割模様Ｊ，Ｋのうち、どちらの分割模様にマージンＭを付加するかは、後述する図１０、図１２のフローチャートに従って、分割模様Ｊ，Ｋに付けられた番号の小さい方に関してマージンＭを付加するように設定される。
【００５３】
ステップＳ３３では、分割模様Ｊの分割辺Ｉに対し、該分割辺Ｉの延びる方向に対し垂直方向の幅寸法がＬの、台形のマージンＭが作成される。分割模様Ｊの分割辺ＩにマージンＭを付加した様子を図９（ｂ）に示す。本実施形態では、マージンＭは端部が例えば４５度の傾斜辺となった台形状に設けられる。また、このときのマージンＭの幅寸法Ｌの設定は、後述する図１３のフローチャートに従って行われる。次のステップＳ３４では、付加したマージンＭが、隣接する分割模様Ｋの内側領域に収まる（一致する場合を含む）か否かが判断される。マージンＭが、隣接する分割模様Ｋの内側領域に収まる場合には（ステップＳ３４にてＹｅｓ）、そのままステップＳ３６に進む。
【００５４】
これに対し、付加したマージンＭが、隣接する分割模様Ｋの内側領域に収まらずに、はみ出す場合が考えられる。図９（ｃ）の例では、マージンＭの上端部分が、分割模様Ｋの形状（鋭角的に尖った部分）の外側にはみ出すことになる。このように、マージンＭが、隣接する分割模様Ｋの内側領域に収まらない場合には（ステップＳ３４にてＮｏ）、ステップＳ３５にて、マージンＭの形状が、隣接する分割模様Ｋの内側領域に収まるように、この場合分割模様Ｋの形状に一致するように補正される。即ち、隣接する分割模様Ｋからはみ出した部分が削除される。補正後のマージンＭの形状を図９（ｄ）に例示する。
【００５５】
この後、ステップＳ３６にて、分割模様ＪにマージンＭが付加され、それらが結合した形状の模様とされる。その様子を図９（ｅ）に例示する。ステップＳ３７では、分割模様ＪとマージンＭとの境界線Ｂを示す指標を形成するための境界線データが生成される。その様子を図９（ｆ）に例示する。詳しく図示しないが、以上の処理が、全ての分割辺Ｉに関して実行されることにより、マージン付加の処理が終了する。「星」の形の元模様Ｆに関しては、図４に示すように、各分割模様Ｄ１〜Ｄ４にマージンＭが付加される。
【００５６】
制御回路２９は、マージンＭが付加された各分割模様Ｄ１〜Ｄ４について、切断データを生成する。このとき、境界線データに基づいて、被切断物Ｗに対し、境界線Ｂに対する点線での切断、つまり間欠的な切り込みを入れたり、ペンによって境界線Ｂの描画を行ったりすることが可能となる。このように、制御回路２９は、分割模様Ｄに対し、接合しろとなるマージンＭを自動で付加しながら、切断データを作成することができる。
【００５７】
図１０のフローチャートは、上記したマージンＭを付加する処理（図８）を行うに先立って、隣り合う分割模様Ｊ，Ｋのうち、どちらの分割模様にマージンＭを付加するかを設定するために、各分割模様に番号を付与する処理手順を示している。この処理について、図１１も参照しながら説明する。まずステップＳ４２にて、変数ｎに１がセットされる。ステップＳ４３では、上記図７の全体エリアＡを構成する各被切断物Ｗを走査することで、分割模様の探索が行われる。この探索は、左から右に向かっての各被切断物Ｗにおける分割模様の走査が、上から下に向けて順に実行される。
【００５８】
ステップＳ４４では、全ての分割模様に採番が完了したか否かが判断される。未だ採番が完了していない場合には（ステップＳ４４にてＮｏ）、ステップＳ４５に進み、分割模様が見付かったか否かが判断される。分割模様が見付かった場合には（ステップＳ４５にてＹｅｓ）、ステップＳ４６にて、見付かった分割模様に対してｎが採番される。そして、ステップＳ４７にて、ｎの値が１だけインクリメントされ、ステップＳ４３に戻って次の分割模様の探索が行われる。ステップＳ４５にて分割模様が見付からなかった場合（ステップＳ４５にてＮｏ）も、ステップＳ４３に戻る。このような分割模様に対する採番が順に実行され、全ての分割模様に採番が完了した場合には（ステップＳ４４にてＹｅｓ）、処理が終了される。
【００５９】
上記した処理により、例えば図１１（ａ）に示すように、例えば９個の分割模様が、縦横夫々３列に整列配置されている場合、上列の左から順に、１、２、３と採番され、中列の左から順に、４、５、６と採番され、下列の左から順に、７、８、９と採番される。例えば図１１（ｂ）に示すように、１７個の分割模様が、部分的に飛び出すような不規則な形態に配列されている場合でも、同様にして、上列の左から順に、１、２、３、…と番号が付されていく。
【００６０】
図１２のフローチャートは、各分割模様Ｄに対する採番後に、制御回路２９が実行する、マージンＭを付加する分割模様を設定する処理手順を示している。本実施形態では、隣り合う分割模様Ｊ，Ｋのうち、上記番号付けの処理により付された番号が小さい方の分割模様に、マージンＭを付加するようにしている。即ち、ステップＳ５１では、分割辺Ｉを共有する２つの分割模様Ｊ，Ｋに対して夫々付された番号Ｊｎ、Ｋｎが取得される。
【００６１】
次のステップＳ５２では、ＪｎがＫｎよりも大きいか否かが判断される。ＪｎがＫｎよりも大きい場合には（ステップＳ５２にてＹｅｓ）、ステップＳ５３にて、分割模様ＫがマージンＭを付加する対象として設定される。ＪｎがＫｎよりも大きくない（小さい）場合には（ステップＳ５２にてＮｏ）、ステップＳ５４にて、分割模様ＪがマージンＭを付加する対象として設定され、処理が終了する。図１１（ａ）、（ｂ）には、各分割模様のうちどの部分にマージンＭが付されるかが、影を付した如き形態で示されている。
【００６２】
図１３のフローチャートは、マージンＭの付加の処理（図８）に先立って、制御回路２９が実行するマージンＭの幅寸法Ｌの設定処理の手順を示している。ステップＳ６１では、分割前の元模様Ｆの面積Ｓ（ｃｍ2 ）が算出される。ステップＳ６２では、面積Ｓ（ｃｍ2 ）に、係数Ｃが乗算されることにより、幅寸法Ｌ（ｃｍ）が算出される。つまり、Ｌ＝Ｓ＊Ｃの式で幅寸法Ｌが求められる。係数Ｃは、例えば１／１０００とされ、例えば１０００ｃｍ2 の面積の元模様であれば、幅寸法Ｌは１ｃｍとなる。
【００６３】
ステップＳ６３では、マージンＭの幅寸法の最小値Ｌｍｉｎと、最大値Ｌｍａｘとが設定される。最小値Ｌｍｉｎは、例えば３ｍｍ〜５ｍｍとされる。最大値Ｌｍａｘは、例えば１ｃｍ〜２ｃｍとされる。ステップＳ６４では、上記計算された幅寸法Ｌが最大値Ｌｍａｘよりも大きいか否かが判断される。幅寸法Ｌが最大値Ｌｍａｘよりも大きい場合には（ステップＳ６４にてＹｅｓ）、ステップＳ６５にて、幅寸法Ｌが最大値Ｌｍａｘに設定される。
【００６４】
一方、幅寸法Ｌが最大値Ｌｍａｘよりも大きくない場合には（ステップＳ６４にてＮｏ）、ステップＳ６６にて、上記幅寸法Ｌが最小値Ｌｍｉｎよりも小さいか否かが判断される。幅寸法Ｌが最小値Ｌｍｉｎよりも小さい場合には（ステップＳ６６にてＹｅｓ）、ステップＳ６７にて、幅寸法ＬがＬｍｉｎに設定される。それら以外の場合には（ステップＳ６６にてＮｏ）、計算された幅寸法Ｌがそのまま用いられ、処理が終了する。これにより、元模様Ｆの面積Ｓに対応した適切なマージンＭの幅寸法Ｌを設定することができ、また、幅寸法Ｌが大きすぎたり、小さすぎたりすることを未然に防止することができる。尚、マージンＭの幅寸法Ｌを固定した値としても良い。
【００６５】
本実施形態によれば、次のような作用・効果を得ることができる。即ち、制御回路２９は、切断データを作成するにあたり、元模様Ｆのサイズを特定し、被切断物Ｗのサイズよりも大きいか否かを判断する。そして、元模様Ｆのサイズが被切断物Ｗのサイズよりも大きい場合には、元模様Ｆを複数の分割模様Ｄ１〜Ｄ４に分割し、各分割模様Ｄ１〜Ｄ４を切断するための切断データを生成する。
【００６６】
従って、複数の被切断物Ｗから、各分割模様Ｄ１〜Ｄ４を切断することができ、それら分割模様Ｄ１〜Ｄ４の切断物を組合せて接合することにより、元模様Ｆに対応した一つの大きな模様の切断物を得ることができる。このように本実施形態によれば、従来とは異なり、１枚の被切断物Ｗのサイズを超える大形の模様Ｆを切断することが可能な切断データを作成することができるという優れた効果を奏する。
【００６７】
このとき本実施形態では、元模様Ｆの分割の処理において、分割候補線Ｐ１，Ｐ２が本模様Ｆを横切る貫通長さを算出し、貫通長さがより大きくなる分割候補線Ｐ１，Ｐ２を探索して当該分割候補線Ｐ１，Ｐ２を分割線Ｐとして決定するようにした。マージンＭは、各分割模様Ｄ１〜Ｄ４の分割線Ｐ部分に付加されるので、分割線Ｐが元模様Ｆを横切る貫通長さが大きくなることは、マージンＭが長く確保されることになる。マージンＭが長いと、その分、切断物の接合を良好に行うことが可能となるので、接合を良好に行えるマージンＭを付加できるように、元模様Ｆを分割することができる。
【００６８】
また本実施形態では、元模様Ｆの分割処理にあたって、必要な被切断物Ｗの数を求め、その数に応じた数の分割候補線を設定するようにした。これにより、分割候補線、ひいては分割線Ｐの数を、必要最小限で済ませることができる。分割候補線として、Ｘ方向に延びる第１分割候補線Ｐ１と、Ｙ方向に延びる第２分割候補線Ｐ２を設けることにより、分割する数の割に、分割線Ｐの本数を少なくすることが可能となり、より効果的となる。また、元模様Ｆに対して分割候補線Ｐ１，Ｐ２を相対的に平行移動させながら、貫通長さがより大きくなる分割候補線を探索するようにし、更に、元模様Ｆに対し分割候補線Ｐ１，Ｐ２を相対的に回転移動させながら貫通長さがより大きくなる分割候補線を探索するようにしたので、効率的に探索を行うことができる。
【００６９】
そして、特に本実施形態では、分割模様Ｄ１〜Ｄ４に対し、接合しろとなるマージンＭを自動で付加しながら、切断データを作成するように構成したので、分割模様Ｄ１〜Ｄ４の切断物の接合作業を容易に行うことが可能となり、より効果的となる。マージン付加処理にあたっては、隣り合う他の分割模様Ｄにおける隣接部分形状の内側に収まる、或いは、一致する形状のマージンＭを付加するようにしたので、マージンＭ部分が、模様からはみ出すことを未然に防止し、見栄えの良い接合を行うことができる。マージンＭが付加された分割模様Ｄについて、境界線データを併せて生成するようにしたので、指標として、境界線Ｂを描線したり、境界線Ｂに沿う印を付けたりすることが可能となり、ひいては、接合作業や、接合時の位置合わせ作業を、より一層しやすくすることができる。
【００７０】
（２）第２〜第４の実施形態、その他の実施形態
図１４及び図１５は、本発明の第２の実施形態を示している。尚、以下に述べる各実施形態においては、上記第１の実施形態と共通する部分については、新たな図示や詳しい説明を省略すると共に符号も共通して使用し、第１の実施形態と異なる点を中心に述べる。この第２の実施形態が上記第１の実施形態と異なるところは、次の点にある。
【００７１】
この第２の実施形態では、制御回路２９は、マージン付加処理によって各分割模様Ｄに付加されたマージンＭが、複数の分割模様Ｄ１〜Ｄ４を元模様Ｆのように組合せた場合に、互いに重なるか否かを判定する重なり判定処理を行う重なり判定手段として機能する。そして、重なり判定処理によりマージンＭ同士が重なると判定された場合に、制御回路２９は、それらマージンＭの一方について重なり部分を削除する修正処理を行う修正手段として機能する。
【００７２】
ここでは、図１５（ａ）に例示するように、各分割模様Ｄ１〜Ｄ４に付加されるマージンＭが、長方形状即ち端部が９０度で立ち上がる形状とされている。このとき、全ての分割模様Ｄ１〜Ｄ４をつないだ状態とすると、図１５（ｂ）に示すようになる。即ち、分割模様Ｄ２の下辺部に付加されたマージンＭと、分割模様Ｄ３の右辺部に付加されたマージンＭとが、図でハッチングを付して示す部分で重なることになる。
【００７３】
図１４のフローチャートは、制御回路２９が実行する、重なり判定及び修正の処理手順を示している。まずステップＳ７１では、全ての分割模様がつないだ状態とされる。ステップＳ７２では、マージンＭ部分同士の重なりがチェックされる。ステップＳ７３では、マージンＭが互いに重なるか否かが判定され、重なると判定された場合には（ステップＳ７３にてＹｅｓ）、ステップＳ７４にて、重なりのあるマージンＭの片方、例えば採番の大きい方の分割模様のマージンＭの重なり部分が削除される。以上の処理により、マージンＭ部分同士が重なる不具合を未然に防止することができる。
【００７４】
次に、図１６を参照して、第３の実施形態について説明する。上記第１の実施形態では、分割模様Ｄのうち、分割辺Ｉを介して他の分割模様Ｄと隣り合う部分に，接合しろ（糊しろ）としてのマージンＭを付加するようにした。これに対し、この第３の実施形態では、被切断物Ｗが布である場合に、全ての分割模様Ｄ１〜Ｄ４において、分割模様Ｄ１〜Ｄ４の周囲全体に、縫いしろとしてのマージンＭ´を付加するようにしている。
【００７５】
この場合も、マージンＭ´の幅寸法Ｌとしては、元模様Ｆの面積に応じて設定しても良いし、元模様Ｆのサイズに関係なく固定された幅寸法としても良い。これにより、布から切断された分割模様Ｄ１〜Ｄ４に関する切断物を、互いに縫い合わせて接合する作業、或いは、別の大きな布に対して縫い付けて一つの模様とする場合の作業等を容易に行うことが可能となる。
【００７６】
図１７及び図１８は、本発明の第４の実施形態を示すもので、図１７は、本実施形態に係る切断データ作成装置１及び切断装置１１の外観構成を、図１８は、それらの電気的構成を概略的に示している。本実施形態に係る切断データ作成装置１は、例えばパーソナルコンピュータからなり、通信ケーブル１０により切断装置１１に接続されている。切断装置１１は、紙やシート等の被切断物Ｗを切断データに従って切断する装置である。
【００７７】
切断データ作成装置１は、切断データ作成プログラムを実行するパーソナルコンピュータから構成されている。図１７に示すように、切断データ作成装置１は、コンピュータ本体１ａに、表示部（液晶ディスプレイ）２、キーボード３、マウス４を備えて構成されている。コンピュータ本体１ａには、図１８に示すように、ＣＰＵを主体として構成された制御回路５、及び、その制御回路５に接続されたＲＡＭ６、ＲＯＭ７、ＥＥＰＲＯＭ８、通信部９等が設けられている。
【００７８】
表示部２は、ユーザに対するメッセージなど必要な情報を表示する。キーボード３やマウス４は、ユーザにより操作され、その操作信号が制御回路５に入力される。ＲＡＭ６は、制御回路５が実行しているプログラムに応じて必要な情報を一時的に記憶する。ＲＯＭ７は、切断データ作成プログラム等を記憶する。ＥＥＰＲＯＭ８は、切断データの作成対象となる複数の異なる模様のデータ（輪郭線データ等）や、作成された切断データ等を記憶している。切断データ作成装置１に、図示しないスキャナを接続して模様のデータを入力することも可能である。
【００７９】
通信部９は、外部の機器との間でデータ等の通信を行うように構成されている。本実施形態では、切断データ作成装置１により作成された切断データが、通信部９により、通信ケーブル１０を介して切断装置１１の通信部３７に送信される。尚、切断データ作成装置１の通信部９と切断装置１１の通信部３７とは、無線通信によって接続してもよい。また、切断データ作成装置１と切断装置１１との間における切断データの受け渡しは、図示しないが、例えばＵＳＢメモリなど着脱可能な外部記憶装置を介して、又はインターネットなどのネットワークを介して行っても良い。
【００８０】
そして、本実施形態では、切断データ作成装置１（制御回路５）は、切断データ作成プログラムの実行により、切断データを作成する切断データ作成装置としての各処理を実行する。この切断データの作成にあたっては、制御回路５は、元模様Ｆのサイズが被切断物Ｗのサイズよりも大きい場合には、元模様Ｆを分割線Ｐにより被切断物Ｗのサイズよりも小さい複数の分割模様Ｄ１〜Ｄ４に分割する分割処理を実行した後、分割模様Ｄ１〜Ｄ４に対し、マージンＭを付加するマージン付加処理を実行し、マージンＭが付加された各分割模様Ｄ１〜Ｄ４を夫々切断するための切断データを生成する切断データ作成の処理を実行する。これにより、制御回路５が、分割手段、マージン付加手段、切断データ生成手段として機能する。
【００８１】
従って、この第４の実施形態によっても、上記第１の実施形態と同様に、被切断物Ｗから所定形状の模様を切断するための切断データであって、１枚の被切断物Ｗのサイズを超える大形の模様を切断することが可能な切断データを作成することができるという優れた効果を得ることができる。また、マージン付加手段を設けたことにより、分割模様Ｄ１〜Ｄ４に対し、接合しろとなるマージンＭを自動で付加しながら、切断データを作成することができる。
【００８２】
尚、上記各実施形態では、被切断物（保持部材）の大きさを１種類として説明したが、複数種類の被切断物（保持部材）を組合せて分割模様を切断する構成としても良い。また、上記各実施形態では、切断データ作成装置を、切断装置から構成する、或いは汎用のパーソナルコンピュータから構成するようにしたが、切断データの作成の専用の装置として構成してもよい。切断データ作成装置に、原図から図形のデータを読取るようなスキャナを接続する構成としてもよい。その他、切断装置の具体的構成についても、様々な変更が可能である等、本発明は、上記した各実施形態に限定されるものではなく、要旨を逸脱しない範囲内で適宜変更して実施し得るものである。
【符号の説明】
【００８３】
１  切断データ作成装置
５  制御回路（分割手段、マージン付加手段、切断データ生成手段）
１１  切断装置（切断データ作成装置）
２９  制御回路（分割手段、マージン付加手段、切断データ生成手段、形状取得手段、マージン作成手段、判断手段、補正手段、重なり判定手段、修正手段、マージンサイズ決定手段、分割候補線設定手段、算出手段、分割線決定手段）
Ｗ  被切断物
Ｆ  元模様
Ｄ、Ｄ１〜Ｄ４  分割模様
Ｐ  分割線
Ｐ１、Ｐ２  分割候補線
Ｍ、Ｍ´  マージン
Ｂ  境界線
【図１】
2017030126.tif 000003
【図２】
2017030126.tif 000004
【図３】
2017030126.tif 000005
【図４】
2017030126.tif 000006
【図５】
2017030126.tif 000007
【図６】
2017030126.tif 000008
【図７】
2017030126.tif 000009
【図８】
2017030126.tif 000010
【図９】
2017030126.tif 000011
【図１０】
2017030126.tif 000012
【図１１】
2017030126.tif 000013
【図１２】
2017030126.tif 000014
【図１３】
2017030126.tif 000015
【図１４】
2017030126.tif 000016
【図１５】
2017030126.tif 000017
【図１６】
2017030126.tif 000018
【図１７】
2017030126.tif 000019
【図１８】
2017030126.tif 000020